(57)【要約】【課題】  ツル科に属する植物は、ツルが巻き付くところを探しながら成長していくのであるが、支柱を畑や庭に突き立てて、柔らかいネットを張ることで対処し、栽培、植栽用の施設としていた。しかしながら、このネットは良く揺れて生育が良くないばかりか、ネットを張る時と栽培が終わった後の片づけに相当な手間が掛っていた。【解決手段】縦横の線状部材で構成される格子状波形ネットの、格子の交点近傍で面全体が断面で波形や扁平になるように折り曲げ癖を付け、つる性の植物が絡みやすくした。プラスチック製のネットの面強度も強く、従って支柱の使用本数も少なく、栽培終了後も保管が容易な格子状の波形ネットを提供せんとするものである。【選択図】図１
2014233218.tif 000002
【特許請求の範囲】
【請求項１】
縦横の線状部材で構成される格子状波形ネットであって、格子の交点近傍でネットの面全体が波形や扁平になるように折り曲げ癖が付けられていることを特徴とする格子状波形ネット。
【請求項２】
請求項１であって、扁平に折りたたみされた格子状波形ネットを吊り上げて横桟に取り付けられたことを特徴とする格子状波形ネット。
【請求項３】
請求項１、２であって、吊り上げられた格子状波形ネットの格子の中に支柱を貫通させて構成したことを特徴とする格子状波形ネット。
【発明の詳細な説明】
【技術分野】
【０００１】
本発明は、野菜や園芸用に使用されるネットに於いて、特にゴーヤやキュウリ、アイビーなどツルを伸ばして生育するものについて、取付けが簡単で収納も嵩張らなく、ツルが巻き付きやすくて、風にゆられるのが極めて少ないプラスチックス製のネットに関する。
【背景技術】
【０００２】
従来、ツル科に属する植物は、そのツルを巻き付く場所を探しながら成長していくのであるが、支柱を立てて、柔らかいネットを張ることで対処していた。この支柱は畑や庭に突きさせ、横方向には他の棒を支柱の上部に固定して、それで出来た空間にネットを張ることで、栽培、植栽用の施設としていた。しかしながら、このネットを張る時と栽培が終わった後の片づけに相当な手間が掛っていたし、ネットが揺れやすく植物の生育が今一つ良くないと言う欠点があった。
【０００３】
そして、この大きな網目のネットが風に揺られることで、植物からエチレンが放出されて植物の生育が悪くなっていた。そこでネットを安定させるために、要所要所に数多く支柱を立てて補強する必要があったが、それでもネットの揺れは大きかったのである。
【０００４】
しかも苗が小さい時にはネットの揺れもあって、なかなかネットに巻き付いてもらえず、手作業でネットに巻き付かせていた。また少しの風でも大きく動くので、栽培中の収穫物に傷が付いたり、途中で切断するとほつれるし、収穫後のネットの整備にツルもネットも柔らかいので、始末に大変な作業を強いられていた。
【０００５】
〔特許文献1〕には、目的として、つる科野菜の栽培補助具として、設置や片づけが容易に行えて、つる科野菜のつるの巻き付き場所を充分確保でき、しかも結実した野菜相互に傷をつけないようにすることの出来る野菜栽培用ネット装置を簡単な構成によって提供することとあり。その構成は、プラスチック製ネットに、支柱を所定間隔にて設けて構成した野菜栽培用ネット装置であって、プラスチック製ネットは、全体としてダイヤ目または格子目を有する板状のものに一体成型したこととある。
【０００６】
しかし、このように構成された野菜栽培用ネット装置は繊維を織ったネットよりは風による揺れが少なく、支柱の使用本数も少なく、シッカリとしたものではあるが、植物の絡み付の改善効果は少なく、生育を大幅に良くするものではない。
【先行技術文献】
【特許文献】
【０００７】
【特許文献１】実開平７−１４８３７
【発明の概要】
【発明が解決しようとする課題】
【０００８】
本発明は、以上のような従来の欠点に鑑み、つる性の植物が絡みやすく、プラスチック製のネットの面強度も強く、従って支柱の使用本数も少なく、支柱とネットが外れにくく、収納時の保管が容易な、格子状やダイヤ目状のネットを提供せんとするものである。
【課題を解決するための手段】
【０００９】
請求項１では、縦横の線状部材で構成される格子状波形ネットであって、格子の交点近傍でネットの面全体が波形や扁平になるように折り曲げ癖が付けられていることを特徴とする格子状波形ネットとした。
【００１０】
これは、縦横の線状部材で構成される格子状ネットを面格子のネットのままで、鉛直に取り付ける方法は従来良く実施されていたが、それでは、つる性の植物ではネットへのからみがイマイチ良くなく、植物の葉張が改善出来ない。そこで、格子やダイヤ目の交点近傍で面全体が波形や扁平になるように折り曲げ癖を付けたり、折り曲げられたネットを使用することで、つるの巻き付きが旺盛になり、葉張りの良い生育が可能となることが確認できた。
【００１１】
請求項２では、請求項１であって、扁平に折りたたみされた格子状波形ネットを吊り上げて横桟に取り付けられたことを特徴とする格子状波形ネットとした。
【００１２】
これは、請求項１の略格子状波形ネットは、そのままの形状では、保管する時嵩張るので、扁平に折りたたんで収納保管出来ることが理想で、折りたたみ癖を生かして、嵩を極力小さくして、使用時にはその格子状波形ネットの上端部の横骨を吊り上げて横桟に数ヶ所固定すると、簡単にネットを張ることが出来る。この時格子状波形ネットの下端部となる横骨も横桟に固定すると、確実に全体が固着されて、綺麗に張ることが出来る。
【００１３】
格子状波形ネットの格子やダイヤ目の大きさは一辺が５０ミリメートルから２００ミリメートル程度が有効であるが、通常は一辺１００ミリメートルから１５０ミリメートル程度が適当である。吊り上げて波形にした時の波形の側面のからの幅寸法は、概ね５０ミリメートルから１００ミリメートル程度が適当であるが、絡みつかせる植物によってはこれ以下でもこれ以上でも、最適な寸法を選定するとよい。
【００１４】
この時使用される格子状波形ネットの材質は、プラスチックス製が適当であるが、使用する目的や耐久性を考えて、金属製で格子状の構造で折りたたみの機能のあるものを製作しても何ら差し支えるものではない。
【００１５】
プラスチックスの材質は屈曲性に優れたポリプロピレン製のものが一番適当であるが、
特に限定するものではない。ポリプロピレンは一般的に耐侯性に難点があると言われている。特に使用環境が紫外線を良く受けることから、耐侯性を良くしておく工夫が重要であり、電線の被覆にも使用されて耐侯性に実績のある、カーボンブラックを練り込んで黒くしておくことが重要である。しかし用途によっては色彩を重要視することもあり、このカーボンブラックを使うことに限定するものではない。
【００１６】
格子状波形ネットのプラスチックスの線の断面の形状は円形や矩形、扁平でも、異形鉄筋のようにイボイボ付でも良いが、概ね円形の寸法で言うと、直径２ミリメートルから１０ミリメートル位でも使用できるが、強度やコストを考えると３ミリメートルから５ミリメートルが適当な寸法である。
【００１７】
格子状波形ネットの交点の折りたたみ癖の形状は色々と考えられるが、格子状波形ネットの横骨となる部分が、吊り上げた時、概ね横骨が波打ちが少なく水平をほぼ保った状態が理想ではあるが、横桟との固定部を増やすことでカバーできるようになっていても良い。従って扁平であるとか、細い棒状であるとかの形状で折りたたみ癖を付けておいても良い。
【００１８】
請求項３では、  請求項１、２であって、吊り上げられた格子状波形ネットの格子の中に支柱を、貫通させて構成したことを特徴とする格子状波形ネットとした。
【００１９】
これは、吊り上げて波形にした時の格子状波形ネットの側面からの幅寸法は、概ね５０ミリメートルから１００ミリメートル程度としたが、それで出来る格子の空間に上から突き刺すように支柱を立てると強風でも支柱と格子状波形ネットが外れることが無くなるので好都合である。
【発明の効果】
【００２０】
以上の説明から明らかなように、本発明にあっては次に列挙する効果が得られる。
（１）本発明の格子状波形ネットは、緊張させて使用する状態が波形になっている構造になっているので、つる性の植物などの巻き付く先を探しながら成長を続ける植物に最適のネットと言える。
【００２１】
（２）使用しない時は、波形や扁平の折り癖で簡単に折りたたんで収納できる。
【００２２】
（３）請求項２にあるように、使用に際しては吊り上げて横骨を横桟に固定するだけで済むので、極めて簡単に早くネットを張ることが出来る。
【００２３】
（４）請求項３にあるように、格子状波形ネットを吊り上げる時、支柱が格子状波形ネットの格子の空間の中に差し込まれた状態で吊り上げると、格子状波形ネットと支柱が強風でも外れることなく、格子状波形ネットと支柱を確実に固着出来る。
【００２４】
（５）プラスチックスで製作した格子状波形ネットは、軽量であることから持ち運びが楽であるし、極めて安価に供給できる。
【図面の簡単な説明】
【００２５】
【図１】本発明格子状波形ネットを畑の畝に立設した状態の一般図である。
【図２】本発明格子状波形ネットに植物が絡んでいる状態の側面図である。
【図３】本発明格子状波形ネットが扁平に格納された状態の部分斜視図である。
【図４】格子状波形ネットを格納状態から上部に引き上げ途中の側面図である。
【図５】格子状波形ネットの格子の交点の部分斜視図である。
【図６】格子状波形ネットの格子の交点の部分断面図である。
【図７】図５，６の格納状態の断面図である。
【図８】格子状波形ネットの格子の横桟が扁平タイプの部分斜視図である。
【図９】格子状がダイヤ目とした時の斜視図である。
【発明を実施するための形態】
【００２６】
以下本発明の実施の形態を図に基づいて説明する。
【実施例１】
【００２７】
図１は、本発明格子状波形ネット１を畑の畝４に立設した状態の一般図で、地上１、５メーターの格子状波形ネット１を立設しようとするとき、高さ１，８メーターの支柱２を畝４に０，３メーター埋めて、1メーターピッチで建てる。格子状波形ネット１は概略寸法で引き延ばした状態で波形となる、縦１、５メーター横１メーターの格子状波形ネット１を立設させる。この時の支柱２は市販されている高さにあった１０ミリメートルから３０ミリメートル程度の径のものが望ましい。
農業用の支柱が使用される。
【００２８】
横桟３に格子状波形ネット１の上端横骨を紐やバンドで固着させる。吊り上げて波形にした時の波形の側面からの幅寸法は、概ね５０ミリメートルから１００ミリメートル程度が適当であるが、絡みつかせる植物９によってはこれ以下でもこれ以上でも、最適な寸法を選定するとよい。
【００２９】
図２は、畑の畝４に植物９を絡ませて生育させている状態の側面図である。格子状波形ネットが５０ミリメートルから１５０ミリメートル程度左右に張りだしているので、植物９の絡みが良く葉張が旺盛な形で繁茂させることが出来る。横骨５と縦骨６に横方向につるを伸ばしながら、上に伸びてゆくのである。
【００３０】
絡み付が旺盛であるから、結果として葉張も良くなるし、風にも揺れ動かせられにくいことで、エチレンの発生が抑えられることになり、このような高循環な結果が生まれることになる。
【００３１】
図３は、格子状波形ネット１の格納時の部分斜視図で、折り曲げられていたり、曲げ癖が有ることで、このように折り畳んで格納することが容易であり、保管時に場所を取らないので極めて好都合である。
【００３２】
図４は、格子状波形ネット１を折り畳んだ状態から上部に引き上げ途中の側面図である。折り畳んだ状態から、最上端の横骨５から順に吊り上げられて、横桟３に紐やバンドなどで固着される。プラスチックス製で軽量であることから、作業も楽にスピーデ―に行うことが出来るのである。
【００３３】
図４では吊り上げて横桟３に紐やバンドで固着する方法について例示したが、吊り上げるのではなく、折りたたんだ格子状波形ネット１を立てて横に広げる形で、たての支柱や横桟に固着しても何ら構わない。この時縦の支柱が格子状波形ネット１の格子の中に入れにくいが横桟を格子の中に入れることで、強風時に格子状波形ネット１から外れ無くなるので好都合であるが、施工に手間が掛る。
【００３４】
図５は、格子状波形ネット１の格子の交点の部分斜視図で、交点に横骨５の両接点を扁平部８とすることなどして折り癖を付けておくと、折りたたみと吊り上げが容易となる。勿論扁平な形でなくても、癖だけ付けておいても当然良い。
【００３５】
図６は、格子状波形ネット１の格子の交点の部分断面図である。横骨5は丸でも矩形の形状でも、勿論ダ円であっても、パイプ状でもいっこうに差し支えるものではない。
【００３６】
また、図６では扁平部８は断面では細くなっている。しかし好ましくはないが、扁平部８が扁平でなく太くなっていても折り癖が有れば良い。
【００３７】
図７は、図５，６の格納状態の部分断面図である。このように折り曲げ出来れば、場所を取らないので好都合である。
【００３８】
図８は、格子状波形ネット１の格子の交点の部分が扁平タイプの部分斜視図である。
従って、横骨５の形状を略C形のままの形状で略C形横骨１１を例示したものである。この時、縦骨６の形は略C形でも帯状でも丸型でも、矩形であっても差し支えるものではない。
【００３９】
図９は、格子がダイヤ目状波形ネット１０になるように、斜めにして波形にした時の斜視図である。
【符号の説明】
【００４０】
１  格子状波形ネット
２  支柱
３  横桟
４  畝
５  横骨
６  縦骨
７  交点
８  扁平部
９  植物
１０  ダイヤ目状波形ネット
１１  略C形横骨
【図１】
2014233218.tif 000003
【図２】
2014233218.tif 000004
【図３】
2014233218.tif 000005
【図４】
2014233218.tif 000006
【図５】
2014233218.tif 000007
【図６】
2014233218.tif 000008
【図７】
2014233218.tif 000009
【図８】
2014233218.tif 000010
【図９】
2014233218.tif 000011